(57)【要約】【課題】人生の記念日、宗教的イメージの少ないイベント、宗教的イメージが形式だけの結婚式、特定または不特定の人への贈答用やプレゼントにも用いることが可能であり、新しいマーケットに支持されることが可能になる表現力を備えた文字を表示させたロウソクの提供を目的とする。【構成】１０はロウソクの本体であり、この実施の形態例ではロウソク本体１０は日本蝋燭でも西洋蝋燭でもよい。また、１１はロウソク本体１０の側面部であり、１２はロウソク本体１０の芯部であり、ロウソク側面部１１の表面の任意の部位に、感謝の意を表現した文字の日本語の代表例として、「ありがとう」を表記させることを特徴としてロウソク表記部１３とするが、ロウソク表記部１３は印刷手段や貼着シール手段や転写シール手段の中から選択して用いればよい。【選択図】        図１
0003102298.tif 000002
【実用新案登録請求の範囲】
【請求項１】
所定の部位に文字や図形や記号を表記させたロウソクであり、前記ロウソク本体の側面部に感謝の意を表現した文字や図形や記号を表記させたことを特徴とする、文字入りロウソク。
【請求項２】
前記感謝の意を表現した文字が、「ありがとう」であることを特徴とする、請求項１に記載の文字入りロウソク。
【請求項３】
前記文字や前記図形や前記記号を表記させる手段が、印刷手段、貼着シール手段、転写シール手段、であることを特徴とする、請求項１に記載の文字入りロウソク。
【考案の詳細な説明】
【０００１】
【産業上の利用分野】
本考案は、所定の部位に文字や図形や記号を表記させたロウソクであり、前記ロウソク本体の側面部に感謝の意を表現した文字や図形や記号を表記させたことを特徴とする、文字入りロウソクに関する。
【０００２】
【従来の技術】
従来より、ロウソクに文字を表示させたものはあった。だが、一般的な文字入りのロウソクは、宗教的な表意文字を表示させたタイプのロウソクが多く、例えば、念仏、お題目、真言、般若心経、祈祷用文字、祈願用文字、請願用文字、各種梵字、神代文字などである。
【０００３】
また、従来より、上述した文字入りのロウソクの使用例として、一般的には、寺院や神社等で祈祷用、参拝用のロウソクとして使用され、例えば、ロウソクの側面に「商売繁盛」、「家内安全」、「合格祈願」等の願いごとが書かれたものを献灯することが行なわれている。
そこで、ロウソク業者の中には、上述した需要に対し、上述した文章をロウソクの表面に印刷したり、彫刻したり、シールを貼付したり、転写シールで前記文字を転写したりしたものを製作し、販売している。
また、近年になって、文字入りのロウソクに関しての開発案件も色々と成されるようになってきた。
【０００４】
例えば、祈願文等を容易に印刷できると共に筆記具にて文字等を容易に記入できる蝋燭の提供を目的とし、その構成が蝋燭本体と、該蝋燭本体の表面に貼設される貼着シートを備え、貼着シートは、外面側から見て、祈願文印刷部と、社寺名と、図形と、記入用空白面部とを有することを特徴とする蝋燭の開発案件が知られている。（実用新案登録第３０００１０２号公報を参照する）
【０００５】
また、例えば、水性筆記具でも、祝いの言葉や、祈祷文、祈祷者名を自由かつ容易に書くことができると共に安全性にもすぐれた献灯用ろうそくの提供を目的とし、その構成として、ろうそく本体の側面に平坦面を形成し、この平坦面上に、水性筆記具で文字が書けることを特徴とするろうそくの開発案件が知られている。（特開平０６−３３０８９号公報を参照する）
【０００６】
【考案が解決しようとする課題】
ところが、例えば、従来の文字入りのロウソクに関しては、一般的に、宗教的な表意文字を表示させたタイプのロウソクが多いために、神道系であれ、仏教系であれ、キリスト教系であれ、その他宗教系であれ、宗教心を有する人たちには需要を満たす商品でありうるが、それ以外の人たちにとっては商品価値が高いとは思われない。
【０００７】
あるいは、人生の記念日（例えば、誕生日や結婚記念日や人が大事にしている記念日など）、宗教的イメージの少ないイベント、宗教的イメージを有するが宗教的イメージは形式だけの結婚式、特定または不特定の人への贈答用やプレゼントにも用いることが可能な、量産仕様の文字入りのロウソクやキャンドルなどは存在していない。
【０００８】
また、例えば、水性筆記具でも、祝いの言葉や、祈祷文、祈祷者名を自由かつ容易に書くことができると共に安全性にもすぐれた献灯用ろうそくの提供を目的とする特開平０６−３３０８９号公報のろうそくの開発案件では、ロウソクに宗教的イメージを求める人が対象であるために、量産性が優れた案件ではあるが、新しいニーズを有する新しいマーケットに挑戦する商品にはなりにくいという指摘を受けている。
【０００９】
また、例えば、祈願文等を容易に印刷できると共に筆記具にて文字等を容易に記入できる蝋燭の提供を目的とする実用新案登録第３０００１０２号公報の蝋燭の開発案件でも、ロウソクに宗教的イメージを求める人が対象であるために、量産性が優れた案件ではあるが、新しいニーズを有する新しいマーケットに挑戦する商品にはなりにくいという指摘を受けている。
【００１０】
そこで、本考案は、上述した問題点を解決して、人生の記念日（例えば、誕生日や結婚記念日や人が大事にしている記念日など）、宗教的イメージの少ないイベント、宗教的イメージを有するが宗教的イメージは形式だけの結婚式、特定または不特定の人への贈答用やプレゼントにも用いることが可能であり、結果的に新しいニーズを有する新しいマーケットに支持される商品になることが可能になる表現力を備えた文字を表示させたロウソクの提供を目的とする。
【００１１】
【課題を解決するための手段】
上述の目的を達成するための第一の手段として、所定の部位に文字や図形や記号を表記させたロウソクであり、前記ロウソク本体の側面部に感謝の意を表現した文字や図形や記号を表記させたことを特徴とする、文字入りロウソクを提供するものである。
【００１２】
前記ロウソクに関しては、ろうそく、蝋燭、キャンドル（ｃａｎｄｌｅ）などと表現され、一般的には、糸やこよりなどを芯にし、まわりを蝋・パラフィンなどで固めた円柱状の灯具のことをいい、前記ロウソクの形状に関しては、一般的には円柱状体または略円柱状体であるが、直方体または角柱体の形状でもよいし、球体または略球状体でもよい。
また、前記ロウソクには、一般的には、日本蝋燭と西洋蝋燭とが知られていて使い分けされているが、本考案ではどちらでも使用できる。
また、蝋に関しては、木蝋と虫蝋が知られており、日本蝋燭の原料として用いられている。木蝋は日本特産であり、ハゼノキの果皮から圧搾または浸出して得る脂肪であり、主成分はパルミチン酸グリセリドで化学的には蝋ではない。虫蝋は、イボタロウカタカイガラムシの雄の幼虫が分泌する蝋で、それを精製したものであり、光沢があり、黄色を帯びた白色であり、主成分は脂肪酸と一価アルコールのエステルである。
前記パラフィン（ｐａｒａｆｆｉｎ）に関しては、石油から分離される蝋状（ろうじよう）の白色半透明の固体で、高級メタン系飽和炭化水素の混合物であり、臭気なく、融点は四五〜六五度で、蝋燭（ろうそく）の原料以外に、軟膏や化粧品の基剤として用いられている。
【００１３】
また、感謝の意を表現した文字に関しては、例えば、感謝とはありがたいと思うこと、ありがたさを感じて謝意を表することであり、この場合に表現される文字は、全て本考案の対象となる。また、感謝の意を表現した図形に関しては、前記感謝の場合に表現される図形は、全て本考案の対象となる。また、感謝の意を表現した記号に関しては、前記感謝の場合に表現される記号は、全て本考案の対象となる。
【００１４】
上述の目的を達成するための第二の手段として、前記感謝の意を表現した文字が、「ありがとう」であることを特徴とする、上述の目的を達成するための第一の手段に記載の文字入りロウソクを提供するものである。前記ありがとうに関しては、アリガトウ、有難う、などと表現することもある。また、日本語だけでなく、「ありがとう」を表現する外国語も全て本考案の対象となる。例えば、英語で「Ｔｈａｎｋ  ｙｏｕ」などが知られている。
【００１５】
上述の目的を達成するための第三の手段として、前記文字や前記図形や前記記号を表記させる手段が、印刷手段、貼着シール手段、転写シール手段、であることを特徴とする、上述の目的を達成するための第一の手段に記載の文字入りロウソクを提供するものである。
前記印刷手段に関しては、ロウソクに印刷可能な印刷手段であれば、自動式または半自動式または器具使用の手動式など、どんな手段でも構わない。
また、前記貼着シール手段に関しては、ロウソクに貼着可能な貼着シール手段であれば、自動式または半自動式または器具使用の手動式など、どんな手段でも構わない。
また、前記転写シール手段に関しては、印刷面を水溶性の液体または有機性の溶媒で湿潤させ、湿潤させた印刷面をロウソクの側面部に押し当て転写する手段であれば、自動式または半自動式または器具使用の手動式など、どんな手段でも構わない。
【００１６】
【考案の実施の形態】
以下、実施の形態例を示す図面に基づいて本考案を説明する。
【００１７】
図１より、図１の実施の形態例では１０はロウソクの本体であり、本実施の形態例ではロウソク本体１０は日本蝋燭でも西洋蝋燭でもよい。また、１１はロウソク本体１０の側面部であり、１２はロウソク本体１０の芯部であり、ロウソク側面部１１の表面の任意の部位に、感謝の意を表現した文字の日本語の代表例として、「ありがとう」を表記させることを特徴としてロウソク表記部１３とするが、ロウソク表記部１３に関しては、印刷手段や貼着シール手段や転写シール手段の中から選択して用いればよい。
【００１８】
図２より、図２の実施の形態例では２０はロウソクの本体であり、本実施の形態例ではロウソク本体２０は西洋蝋燭またはキャンドルの場合であり、２１はロウソク本体２０の側面部であり、２２はロウソク本体２０の芯部であり、ロウソク側面部２１の表面の任意の部位に、感謝の意を表現した文字の日本語の代表例として、「ありがとう」を表記させることを特徴としてロウソク表記部２３とするが、ロウソク表記部２３に関しては、印刷手段や貼着シール手段や転写シール手段の中から選択して用いればよい。
【００１９】
図３より、図３の実施の形態例では３０はロウソクの本体であり、本実施の形態例ではロウソク本体３０はキャンドルの場合であり、３１はロウソク本体３０の側面部であり、３２はロウソク本体３０の芯部であり、ロウソク側面部３１の表面の任意の部位に、感謝の意を表現した文字の外国語の代表例として、「ＴＨＡＮＫ  ＹＯＵ」を表記させることを特徴としてロウソク表記部３３とするが、ロウソク表記部３３に関しては、印刷手段や貼着シール手段や転写シール手段の中から選択して用いればよい。
【００２０】
本考案のロウソクを使用するときは、例えば図１の例では、ロウソク本体１０を任意の燭台または任意の蝋燭立てに設置し、必要なときにロウソク芯部１２を着火手段を用いて着火させ、ロウソク芯部１２の炎が灯っている間に、ロウソク表記部１３を必要な時間見ることで、必要な時間分「ありがとう」を意識することになる。尚、図２の例や図３の例も図１の例と、ほぼ同じ効果が得られる。
【００２１】
尚、本考案のロウソクは、日常の生活の中で用いることで、ストレスの解消や感謝の心の増大化や感謝の心を忘れないという、感謝の心のライフスタイル化を提案している。なぜなら、「ありがとう」を唱えることで、病気が治癒したという情報が、インターネット上で公知になっているからである。
例えば、検索エンジンを用いて、キーワード記入欄に、「免疫、ありがとう」を記入して検索すると、以下のような情報を得ることができた。
【００２２】
例えば、癌の自然療法で著名なアメリカの女性外科医、ロレーン・ディ博士は１９９３年に自分が乳ガンになっていることに気付き、自分なりの治療法を開発して、見事に癌から生還した経験から、人間の免疫力を向上させる要素の一つとして、「感謝」の念を持つことであると述べている。
【００２３】
また、例えば、現代医学は、末期ガンの患者に対して対処できる手段を多く持ち合わせていないのが現状である。しかしながら、名古屋住友記念病院（名古屋市）院長の内藤康弘先生の説によれば、現代医学が見放す末期ガンであるとしても、愛と勇気と人間の身体に対する信頼さえあれば、告知された余命をはるかに越え、しかも元気に生き永がらえることは不可能ではなく、そのためには、食生活に気を配り、ストレスを溜めずに、生かされているという感謝を忘れないライフスタイルが肝心であるという。（詳細は、内藤康弘、著「１％の希望、１００％の決意」メタモル出版発行を参照のこと）
【００２４】
また、帯津三敬病院（埼玉県川越市）院長の帯津良一先生の説によれば、免疫と自然治癒力というのは同じものであり、私たちの意識とも密接な関係にあるという。それは、感謝、祈り、肯定、ワクワク、安心という生活が免疫を高め、自然治癒力を高めるとのことである。（詳細は、帯津良一、著「がんになったとき真っ先に読む本」草思社発行、帯津良一、著「あなたを健康に導く「生命場」の法則」紀ノ国屋書店発行、帯津良一、著「ガンを治す大事典」二見書房発行、帯津良一、著「気功で病気を治す小辞典」二見書房発行、帯津良一、著「ホリスティック医学の治癒力」法研発行、帯津良一、共著「健康革命」現代書林発行、帯津良一、共著「ストレスの科学と健康」朝倉書店発行、などを参照のこと）
【００２５】
【考案の効果】
本考案は上述の如く構成されているので、次に記載する効果を奏する。
【００２６】
本考案によって、本考案の文字入りロウソクは、宗教的雰囲気を有する販売場所、例えば神社や寺等での祈願・奉納用として、販売可能であるし、非宗教的雰囲気を有する販売場所、例えば、デパート（専門店、テナント、催事場、各種カウンター）、スーパーマーケット（専門店、テナント、催事場、各種カウンター）、コンビニエンス・ストア、地下街（専門店、テナント、催事場、各種カウンター）、ロウソク専門店、ファンシーグッズ専門店、接客をする各種店舗のカウンター、駅の売店、観光地の売店、ホテルや旅館の売店、各種建築物内の売店、各種乗り物内の売店や移動販売、リラクゼーションを目的とする店舗、消費者の癒しやヒーリングを目的とする店舗、医療施設内の売店、などの扱い品目として好適である。そのため、これらの業者の売上の増大が可能になり、本考案を採用した業者の業績への貢献が可能となる。
【００２７】
また、本考案の文字入りロウソクは、宗教的、イデオロギー的、哲学的、政治的、社会的、などに影響されないで販売することが可能になるので、結婚式や結婚記念日や銅婚式や銀婚式や金婚式、誕生日や父の日や母の日、入学祝いや進級祝いや卒業祝い、就職祝いや出世祝いや栄転祝いや退職祝い、各種パーティのプレゼントに用いることで、これらの場所で楽しい雰囲気を盛り上げることが可能になる。その結果、本考案の利用者は、日々の生活が活性化し、学業や仕事や事業に対して積極的な姿勢になり、産業の発展に寄与する。
【００２８】
また、本考案の文字入りロウソクは、宗教的、イデオロギー的、哲学的、政治的、社会的、などに影響されないで販売することが可能になるので、通信販売、カタログ販売、訪問販売、各種ネットワークビジネス、贈答用、ご進物用、ギフト用などの扱い品目として好適である。そのため、これらの業者の売上の増大が可能になり、本考案を採用した業者の業績への貢献が可能となる。
【００２９】
また、本考案の文字入りロウソクが一般的に普及することで、上述した考案の効果に加えて、本考案の文字入りロウソクを日常の生活の中で常用する人たちが増大し、日々「感謝」を意識しながら生活する人たちが増大することによって、本考案の利用者たちは、身体的には免疫力が向上し、精神的にはストレスに対する抵抗力が向上する結果、健康的な心身を維持する人が増大する。
つまり、わが国において、本考案の文字入りロウソクが一般的に普及することは、国民の未病対策になり、その結果、医療費の膨大な赤字に悩む国の医療費削減の方策の一助になる。本考案の文字入りロウソクは結果的に、産業の発展に寄与することが可能になる。
【図面の簡単な説明】
【図１】本考案の文字入りロウソクの一実施例を示す簡略図である。
【図２】本考案の文字入りロウソクの一実施例を示す簡略図である。
【図３】本考案の文字入りロウソクの一実施例を示す簡略図である。
【符号の説明】
１０，２０，３０    ロウソク本体
１１，２１，３１    ロウソク側面部
１２，２２，３２    ロウソク芯部
１３，２３，３３    ロウソク表記部
【図１】
0003102298.tif 000003
【図２】
0003102298.tif 000004
【図３】
0003102298.tif 000005
【手続補正書】
【提出日】平成15年10月3日(2003.10.3)
【手続補正１】
【補正対象書類名】明細書
【補正対象項目名】実用新案登録請求の範囲
【補正方法】変更
【補正の内容】
【実用新案登録請求の範囲】
【請求項１】
ロウソク本体の側面部に人体を制御する電気的信号に変化を与えることが可能な文字を表記させたロウソクであることを特徴とする、文字入りロウソク。
【請求項２】
前記人体を制御する電気的信号に変化を与えることが可能な文字が、「ありがとう」であることを特徴とする、請求項１に記載の文字入りロウソク。
【請求項３】
前記文字を表記させる手段が、刻印手段、印刷手段、貼着シール手段、転写シール手段、であることを特徴とする、請求項１に記載の文字入りロウソク。
【手続補正２】
【補正対象書類名】明細書
【補正対象項目名】０００１
【補正方法】変更
【補正の内容】
【０００１】
【産業上の利用分野】
本考案は、ロウソク本体の側面部に人体を制御する電気的信号に変化を与えることが可能な文字を表記させたロウソクであることを特徴とする、文字入りロウソクに関する。


【手続補正３】
【補正対象書類名】明細書
【補正対象項目名】０００４
【補正方法】変更
【補正の内容】
【０００４】
例えば、祈願文等を容易に印刷できると共に筆記具にて文字等を容易に記入できる蝋燭の提供を目的とし、その構成が蝋燭本体と、該蝋燭本体の表面に貼設される貼着シートを備え、貼着シートは、外面側から見て、祈願文印刷部と、社寺名と、図形と、記入用空白面部とを有することを特徴とする蝋燭の開発案件が知られている。（実用新案登録第３０００１０２号公報を参照する）
また、例えば、水性筆記具でも、祝いの言葉や、祈祷文、祈祷者名を自由かつ容易に書くことができると共に安全性にもすぐれた献灯用ろうそくの提供を目的とし、その構成として、ろうそく本体の側面に平坦面を形成し、この平坦面上に、水性筆記具で文字が書けることを特徴とするろうそくの開発案件が知られている。（特開平０６−３３０８９号公報を参照する）
【手続補正４】
【補正対象書類名】明細書
【補正対象項目名】０００５
【補正方法】変更
【補正の内容】
【０００５】
さらに、近年になって、人間の精神状態が、脳の機能や心臓の機能に変化を与えることが公知になっており、これら脳の機能の変化や心臓の機能に変化は、それぞれ、脳波や心電図という手段によって、脳を制御する電気的信号や心臓を制御する電気的信号の変化として測定可能であり、人間が、特定の音声信号や視覚信号に反応することによって、脳波や心電図を変化させることは一般的に知られている。
【手続補正５】
【補正対象書類名】明細書
【補正対象項目名】０００８
【補正方法】変更
【補正の内容】
【０００８】
また、例えば、水性筆記具でも、祝いの言葉や、祈祷文、祈祷者名を自由かつ容易に書くことができると共に安全性にもすぐれた献灯用ろうそくの提供を目的とする特開平０６−３３０８９号公報のろうそくの開発案件では、ロウソクに宗教的イメージを求める人が対象であるために、量産性が優れた案件ではあるが、新しいニーズを有する新しいマーケットに挑戦する商品にはなりにくいという指摘を受けている。
また、例えば、祈願文等を容易に印刷できると共に筆記具にて文字等を容易に記入できる蝋燭の提供を目的とする実用新案登録第３０００１０２号公報の蝋燭の開発案件でも、ロウソクに宗教的イメージを求める人が対象であるために、量産性が優れた案件ではあるが、新しいニーズを有する新しいマーケットに挑戦する商品にはなりにくいという指摘を受けている。
【手続補正６】
【補正対象書類名】明細書
【補正対象項目名】０００９
【補正方法】変更
【補正の内容】
【０００９】
さらに、例えば、人体の脳波や心電図を変化させる特定の音声信号や視覚信号の一例として、感謝の言葉や感謝の文字によって、人体の脳や心臓に好ましい影響を与えることが一般的に知られ、活用されるようになってきた。
【手続補正７】
【補正対象書類名】明細書
【補正対象項目名】００１０
【補正方法】変更
【補正の内容】
【００１０】
そこで、本考案は、上述した問題点を解決して、人生の記念日（例えば、誕生目や結婚記念日や人が大事にしている記念日など）、宗教的イメージの少ないイベント、宗教的イメージを有するが宗教的イメージは形式だけの結婚式、特定または不特定の人への贈答用やプレゼントにも用いることが可能であり、結果的に新しいニーズを有する新しいマーケットに支持される商品になることが可能になる表現力を備えた文字を表示させたロウソクの提供を目的とする。
また、本考案は、感謝の文字を表示させるによって、人体の脳や心臓に電気的な変化を与えることが可能なロウソクの提供を目的とする。
【手続補正８】
【補正対象書類名】明細書
【補正対象項目名】００１１
【補正方法】変更
【補正の内容】
【００１１】
【課題を解決するための手段】
上述の目的を達成するための第一の手段として、ロウソク本体の側面部に人体を制御する電気的信号に変化を与えることが可能な文字を表記させたロウソクであることを特徴とする、文字入りロウソクを提供するものである。


【手続補正９】
【補正対象書類名】明細書
【補正対象項目名】００１３
【補正方法】変更
【補正の内容】
【００１３】
また、ロウソク本体の側面部に人体を制御する電気的信号に変化を与えることが可能な文字に関しては、例えば、人が人や物品に対して感謝することであることが一般的に知られており、感謝とはありがたいと思うこと、ありがたさを感じて謝意を表することであり、この場合に表現される文字は、全て本考案の対象となる。また、感謝の意を表現した図形に関しても前記文字と同義語的に扱うことが可能であり、前記感謝の場合に表現される図形は、全て本考案の対象となるまた、感謝の意を表現した記号に関しても前記文字と同義語的に扱うことが可能であり、前記感謝の場合に表現される記号は、全て本考案の対象となる。


【手続補正１０】
【補正対象書類名】明細書
【補正対象項目名】００１４
【補正方法】変更
【補正の内容】
【００１４】
上述の目的を達成するための第二の手段として、前記人体を制御する電気的信号に変化を与えることが可能な文字が、「ありがとう」であることを特徴とする、上述の目的を達成するための第一の手段に記載の文字入りロウソクを提供するものである。前記ありがとうに関しては、ありがたい、アリガトウ、有難う、などと表現することも本考案の対象となる。また、「ありがとう」と同義語の外国語も全て本考案の対象となる。例えば、英語で「Ｔｈａｎｋ  ｙｏｕ」、フランス語で「Ｍｅｒｃｉ」、イタリア語で「Ｇｒａｚｉｅ」、ドイツ語で「Ｄａｎｋｅ」、中国語で「多謝」、などが知られている。


【手続補正１１】
【補正対象書類名】明細書
【補正対象項目名】００１５
【補正方法】変更
【補正の内容】
【００１５】
上述の目的を達成するための第三の手段として、前記文字を表記させる手段が、刻印手段、印刷手段、貼着シール手段、転写シール手段、であることを特徴とする、上述の目的を達成するための第一の手段に記載の文字入りロウソクを提供するものである。
前記印刷手段に関しては、ロウソクに印刷可能な印刷手段であれば、自動式または半自動式または器具使用の手動式など、どんな手段でも構わない。
また、前記貼着シール手段に関しては、ロウソクに貼着可能な貼着シール手段であれば、自動式または半自動式または器具使用の手動式など、どんな手段でも構わない。
また、前記転写シール手段に関しては、印刷面を水溶性の液体または有機性の溶媒で湿潤させ、湿潤させた印刷面をロウソクの側面部に押し当て転写する手段であれば、自動式または半自動式または器具使用の手動式など、どんな手段でも構わない。
また、前記刻印手段に関しては、前記文字を前記ロウソクに刻印する金型に加工するが、この金型を用いての刻印手段に関しては、一般的に知られた手段を用いればよい。
【手続補正１２】
【補正対象書類名】明細書
【補正対象項目名】００１７
【補正方法】変更
【補正の内容】
【００１７】
図１より、図１の実施の形態例では１０はロウソクの本体であり、本実施の形態例ではロウソク本体１０は日本蝋燭でも西洋蝋燭でもよい。また、１１はロウソク本体１０の側面部であり、１２はロウソク本体１０の芯部であり、ロウソク側面部１１の表面の任意の部位に、感謝の意を表現した文字の日本語の代表例として、「ありがとう」を表記させることを特徴としてロウソク表記部１３とするが、ロウソク表記部１３に関しては、前記刻印手段や前記印刷手段や前記貼着シール手段や前記転写シール手段の中から選択して用いればよい。


【手続補正１３】
【補正対象書類名】明細書
【補正対象項目名】００１８
【補正方法】変更
【補正の内容】
【００１８】
図２より、図２の実施の形態例では２０はロウソクの本体であり、本実施の形態例ではロウソク本体２０は西洋蝋燭またはキャンドルの場合であり、２１はロウソク本体２０の側面部であり、２２はロウソク本体２０の芯部であり、ロウソク側面部２１の表面の任意の部位に、感謝の意を表現した文字の日本語の代表例として、「ありがとう」を表記させることを特徴としてロウソク表記部２３とするが、ロウソク表記部２３に関しては、前記刻印手段や前記印刷手段や前記貼着シール手段や前記転写シール手段の中から選択して用いればよい。


【手続補正１４】
【補正対象書類名】明細書
【補正対象項目名】００１９
【補正方法】変更
【補正の内容】
【００１９】
図３より、図３の実施の形態例では３０はロウソクの本体であり、本実施の形態例ではロウソク本体３０はキャンドルの場合であり、３１はロウソク本体３０の側面部であり、３２はロウソク本体３０の芯部であり、ロウソク側面部３１の表面の任意の部位に、感謝の意を表現した文字の外国語の代表例として、「ＴＨＡＮＫ  ＹＯＵ」を表記させることを特徴としてロウソク表記部３３とするが、ロウソク表記部３３に関しては、前記刻印手段や前記印刷手段や前記貼着シール手段や前記転写シール手段の中から選択して用いればよい。


【手続補正１５】
【補正対象書類名】明細書
【補正対象項目名】００２０
【補正方法】変更
【補正の内容】
【００２０】
本考案のロウソクを使用するときは、例えば図１の例では、ロウソク本体１０を任意の燭台または任意の蝋燭立てに設置し、必要なときにロウソク芯部１２を着火手段を用いて着火させ、ロウソク芯部１２の炎が灯っている間に、ロウソク表記部１３を必要な時間見ることで、必要な時間分「ありがとう」を意識することになり、心筋の活動電流は穏やかになり、脳波はアルファ波状態になり、本考案の利用者の身体に好影響を与えることが可能になる。尚、図２の例や図３の例も図１の例と、ほぼ同じ効果が得られる。




【手続補正書】
【提出日】平成16年1月20日(2004.1.20)
【手続補正１】
【補正対象書類名】明細書
【補正対象項目名】実用新案登録請求の範囲
【補正方法】変更
【補正の内容】
【実用新案登録請求の範囲】
【請求項１】
ロウソク本体の側面部に人体を制御する電気的信号に変化を与えることが可能な文字を凸形状または凹形状になるよう形成させたロウソクであることを特徴とする、文字入りロウソク。
【請求項２】
前記形成体が、「ありがとう」と判読されるような形成体であることを特徴とする、請求項１に記載の文字入りロウソク。
【請求項３】
前記形成手段が、刻印手段、印刷手段、貼着シール手段、転写シール手段、であることを特徴とする、請求項１に記載の文字入りロウソク。
【手続補正２】
【補正対象書類名】明細書
【補正対象項目名】０００１
【補正方法】変更
【補正の内容】
【０００１】
【産業上の利用分野】
本考案は、ロウソク本体の側面部に人体を制御する電気的信号に変化を与えることが可能な文字を凸形状または凹形状になるよう形成させたロウソクであることを特徴とする、文字入りロウソクに関する。


【手続補正３】
【補正対象書類名】明細書
【補正対象項目名】０００４
【補正方法】変更
【補正の内容】
【０００４】
例えば、祈願文等を容易に印刷できると共に筆記具にて文字等を容易に記入できる蝋燭の提供を目的とし、その構成が蝋燭本体と、該蝋燭本体の表面に貼設される貼着シートを備え、貼着シートは、外面側から見て、祈願文印刷部と、社寺名と、図形と、記入用空白面部とを有することを特徴とする蝋燭の開発案件が知られている。（実用新案登録第３０００１０２号公報を参照する）
また、例えば、水性筆記具でも、祝いの言葉や、祈祷文、祈祷者名を自由かつ容易に書くことができると共に安全性にもすぐれた献灯用ろうそくの提供を目的とし、その構成として、ろうそく本体の側面に平坦面を形成し、この平坦面上に、水性筆記具で文字が書けることを特徴とするろうそくの開発案件が知られている。（特開平０６−３３０８９号公報を参照する）
【手続補正４】
【補正対象書類名】明細書
【補正対象項目名】０００５
【補正方法】変更
【補正の内容】
【０００５】
さらに、近年になって、人間の精神状態が、脳の機能や心臓の機能に変化を与えることが公知になっており、これら脳の機能の変化や心臓の機能に変化は、それぞれ、脳波や心電図という手段によって、脳を制御する電気的信号や心臓を制御する電気的信号の変化として測定可能であり、人間が、特定の音声信号や視覚信号に反応することによって、脳波や心電図を変化させることは一般的に知られている。
【手続補正５】
【補正対象書類名】明細書
【補正対象項目名】０００８
【補正方法】変更
【補正の内容】
【０００８】
また、例えば、水性筆記具でも、祝いの言葉や、祈祷文、祈祷者名を自由かつ容易に書くことができると共に安全性にもすぐれた献灯用ろうそくの提供を目的とする特開平０６−３３０８９号公報のろうそくの開発案件では、ロウソクに宗教的イメージを求める人が対象であるために、量産性が優れた案件ではあるが、新しいニーズを有する新しいマーケットに挑戦する商品にはなりにくいという指摘を受けている。
また、例えば、祈願文等を容易に印刷できると共に筆記具にて文字等を容易に記入できる蝋燭の提供を目的とする実用新案登録第３０００１０２号公報の蝋燭の開発案件でも、ロウソクに宗教的イメージを求める人が対象であるために、量産性が優れた案件ではあるが、新しいニーズを有する新しいマーケットに挑戦する商品にはなりにくいという指摘を受けている。
【手続補正６】
【補正対象書類名】明細書
【補正対象項目名】０００９
【補正方法】変更
【補正の内容】
【０００９】
さらに、例えば、人体の脳波や心電図を変化させる特定の音声信号や視覚信号の一例として、感謝の言葉や感謝の文字によって、人体の脳や心臓に好ましい影響を与えることが一般的に知られ、活用されるようになってきた。
【手続補正７】
【補正対象書類名】明細書
【補正対象項目名】００１０
【補正方法】変更
【補正の内容】
【００１０】
そこで、本考案は、上述した問題点を解決して、人生の記念日（例えば、誕生日や結婚記念日や人が大事にしている記念日など）、宗教的イメージの少ないイベント、宗教的イメージを有するが宗教的イメージは形式だけの結婚式、特定または不特定の人への贈答用やプレゼントにも用いることが可能であり、結果的に新しいニーズを有する新しいマーケットに支持される商品になることが可能になる表現力を備えた文字を表示させたロウソクの提供を目的とする。
また、本考案は、感謝の文字を表示させるによって、人体の脳や心臓に電気的な変化を与えることが可能なロウソクの提供を目的とする。
【手続補正８】
【補正対象書類名】明細書
【補正対象項目名】００１１
【補正方法】変更
【補正の内容】
【００１１】
【課題を解決するための手段】
上述の目的を達成するための第一の手段として、ロウソク本体の側面部に人体を制御する電気的信号に変化を与えることが可能な文字を凸形状または凹形状になるよう形成させたロウソクであることを特徴とする、文字入りロウソクを提供するものである。


【手続補正９】
【補正対象書類名】明細書
【補正対象項目名】００１３
【補正方法】変更
【補正の内容】
【００１３】
また、ロウソク本体の側面部に人体を制御する電気的信号に変化を与えることが可能な文字に関しては、例えば、人が人や物品に対して感謝することであることが一般的に知られており、感謝とはありがたいと思うこと、ありがたさを感じて謝意を表することであり、この場合に表現される文字は、全て本考案の対象となる。また、感謝の意を表現した図形に関しても前記文字と同義語的に扱うことが可能であり、前記感謝の場合に表現される図形は、全て本考案の対象となるまた、感謝の意を表現した記号に関しても前記文字と同義語的に扱うことが可能であり、前記感謝の場合に表現される記号は、全て本考案の対象となる。


【手続補正１０】
【補正対象書類名】明細書
【補正対象項目名】００１４
【補正方法】変更
【補正の内容】
【００１４】
上述の目的を達成するための第二の手段として、前記形成体が、「ありがとう」と判読されるような形成体であることを特徴とする、上述の目的を達成するための第一の手段に記載の文字入りロウソクを提供するものである。前記ありがとうに関しては、ありがたい、アリガトウ、有難う、などと表現することも本考案の対象となる。また、「ありがとう」と同義語の外国語も全て本考案の対象となる。例えば、英語で「Ｔｈａｎｋ  ｙｏｕ」、フランス語で「Ｍｅｒｃｉ」、イタリア語で「Ｇｒａｚｉｅ」、ドイツ語で「Ｄａｎｋｅ」、中国語で「多謝」、などが知られている。


【手続補正１１】
【補正対象書類名】明細書
【補正対象項目名】００１５
【補正方法】変更
【補正の内容】
【００１５】
上述の目的を達成するための第三の手段として、前記形成手段が、刻印手段、印刷手段、貼着シール手段、転写シール手段、であることを特徴とする、上述の目的を達成するための第一の手段に記載の文字入りロウソクを提供するものである。
前記印刷手段に関しては、ロウソクに印刷可能な印刷手段であれば、自動式または半自動式または器具使用の手動式など、どんな手段でも構わない。
また、前記貼着シール手段に関しては、ロウソクに貼着可能な貼着シール手段であれば、自動式または半自動式または器具使用の手動式など、どんな手段でも構わない。
また、前記転写シール手段に関しては、印刷面を水溶性の液体または有機性の溶媒で湿潤させ、湿潤させた印刷面をロウソクの側面部に押し当て転写する手段であれば、自動式または半自動式または器具使用の手動式など、どんな手段でも構わない。
また、前記刻印手段に関しては、前記文字を前記ロウソクに刻印する金型に加工するが、この金型を用いての刻印手段に関しては、一般的に知られた手段を用いればよい。
【手続補正１２】
【補正対象書類名】明細書
【補正対象項目名】００１７
【補正方法】変更
【補正の内容】
【００１７】
図１より、図１の実施の形態例では１０はロウソクの本体であり、本実施の形態例ではロウソク本体１０は日本蝋燭でも西洋蝋燭でもよい。また、１１はロウソク本体１０の側面部であり、１２はロウソク本体１０の芯部であり、ロウソク側面部１１の表面の任意の部位に、感謝の意を表現した文字の日本語の代表例として、「ありがとう」を表記させることを特徴としてロウソク表記部１３とするが、ロウソク表記部１３に関しては、前記刻印手段や前記印刷手段や前記貼着シール手段や前記転写シール手段の中から選択して用いればよい。


【手続補正１３】
【補正対象書類名】明細書
【補正対象項目名】００１８
【補正方法】変更
【補正の内容】
【００１８】
図２より、図２の実施の形態例では２０はロウソクの本体であり、本実施の形態例ではロウソク本体２０は西洋蝋燭またはキャンドルの場合であり、２１はロウソク本体２０の側面部であり、２２はロウソク本体２０の芯部であり、ロウソク側面部２１の表面の任意の部位に、感謝の意を表現した文字の日本語の代表例として、「ありがとう」を表記させることを特徴としてロウソク表記部２３とするが、ロウソク表記部２３に関しては、前記刻印手段や前記印刷手段や前記貼着シール手段や前記転写シール手段の中から選択して用いればよい。


【手続補正１４】
【補正対象書類名】明細書
【補正対象項目名】００１９
【補正方法】変更
【補正の内容】
【００１９】
図３より、図３の実施の形態例では３０はロウソクの本体であり、本実施の形態例ではロウソク本体３０はキャンドルの場合であり、３１はロウソク本体３０の側面部であり、３２はロウソク本体３０の芯部であり、ロウソク側面部３１の表面の任意の部位に、感謝の意を表現した文字の外国語の代表例として、「ＴＨＡＮＫ  ＹＯＵ」を表記させることを特徴としてロウソク表記部３３とするが、ロウソク表記部３３に関しては、前記刻印手段や前記印刷手段や前記貼着シール手段や前記転写シール手段の中から選択して用いればよい。


【手続補正１５】
【補正対象書類名】明細書
【補正対象項目名】００２０
【補正方法】変更
【補正の内容】
【００２０】
本考案のロウソクを使用するときは、例えば図１の例では、ロウソク本体１０を任意の燭台または任意の蝋燭立てに設置し、必要なときにロウソク芯部１２を着火手段を用いて着火させ、ロウソク芯部１２の炎が灯っている間に、ロウソク表記部１３を必要な時間見ることで、必要な時間分「ありがとう」を意識することになり、心筋の活動電流は穏やかになり、脳波はアルファ波状態になり、本考案の利用者の身体に好影響を与えることが可能になる。尚、図２の例や図３の例も図１の例と、ほぼ同じ効果が得られる。